(57)【要約】【課題】シートバックの前倒しに伴うロック解除及びメモリ作動のために要するスペースをより縮小することができる車両用シートスライド装置を提供する。【解決手段】第１付勢部材６５による上方への付勢力でアッパレール４と係合し下方への押圧力でロアレール３と係合するメモリピース６０と、メモリリンク付勢部材８５による付勢力でロックレバー３０及びメモリピース６０を解放し解除方向に回動することでロックレバー３０及びメモリピース６０を押圧するメモリリンク８０と、相対移動の方向にアッパレール４に移動自在に連結されスライダ付勢部材９８による付勢力でメモリリンク８０を解放しシートバックの前倒しに伴い移動することで解除方向にメモリリンク８０を押圧する作動用スライダ９０と、シートバックの前倒しに伴いアッパレール４がシート前方に移動した後にシート後方に移動することでメモリピース６０に当接するストッパ部材７０とを備える。【選択図】図４
2015150952.tif 000002
【特許請求の範囲】
【請求項１】
互いに相対移動可能に連結されたロアレール及びアッパレールと、
前記ロアレール及び前記アッパレールの相対移動を選択的に規制するロック部材と、
前記ロアレール内に配置され、メモリピース付勢部材による付勢力で前記アッパレールと係合し、前記付勢力に抗した押圧力で前記ロアレールと係合するメモリピースと、
前記アッパレール内で該アッパレールに回動自在に連結され、メモリリンク付勢部材による付勢力で前記ロック部材及び前記メモリピースを解放し、解除方向に回動することで前記相対移動の規制を解除する回動方向に前記ロック部材を押圧するとともに前記メモリピース付勢部材による付勢力に抗して前記メモリピースを押圧するメモリリンクと、
前記相対移動の方向に前記アッパレールに移動自在に連結され、スライダ付勢部材による付勢力で前記メモリリンクを解放し、シートバックの前倒しに伴い移動することで前記解除方向に前記メモリリンクを押圧するスライド部材と、
前記アッパレールに固定され、前記シートバックの前倒しに伴い前記アッパレールがシート前方に移動した後にシート後方に移動することで前記メモリピースに当接して、移動前の前記ロアレール及び前記アッパレールの相対位置でシート後方への移動を規制するストッパ部材とを備えた、車両用シートスライド装置。
【請求項２】
請求項１に記載の車両用シートスライド装置において、
前記アッパレールには、ガイド孔が形成されており、
前記スライド部材は、前記ガイド孔に前記相対移動の方向に移動可能に嵌挿されて前記解除方向に前記メモリリンクを押圧する押圧部材を有した、車両用シートスライド装置。
【請求項３】
請求項１又は２に記載の車両用シートスライド装置において、
前記スライド部材は、前記アッパレールに摺接してその移動を案内するガイド部材を有した、車両用シートスライド装置。
【請求項４】
請求項１〜３のいずれか一項に記載の車両用シートスライド装置において、
前記シートバックに一方の端末が連係され、前記スライド部材に他方の端末が連結されて、前記シートバックの前倒しに伴って前記スライド部材を移動させる解除ケーブルを備え、
前記解除ケーブルは、前記相対移動の方向に前記スライド部材から前記シートバックに向かって延びる、車両用シートスライド装置。
【発明の詳細な説明】
【技術分野】
【０００１】
本発明は、車両用シートスライド装置に関するものである。
【背景技術】
【０００２】
従来、車両用シートスライド装置としては、例えば特許文献１に記載されたものが知られている。図９に示すように、この車両用シートスライド装置は、ロアレール１１０と、該ロアレール１１０に対し相対移動可能に連結されたアッパレール１２０と、ロアレール１１０及びアッパレール１２０の相対移動を選択的に規制するロック部材（図示略）とを備える。
【０００３】
ロアレール１１０内に配置されるメモリピース１３０は、メモリピース付勢部材１３２による上方への付勢力でアッパレール１２０と係合するとともにロアレール１１０との係合を解除し、メモリピース付勢部材１３２の付勢力に抗した下方への押圧力でロアレール１１０と係合するとともにアッパレール１２０との係合を解除する。
【０００４】
一方、アッパレール１２０の上部に回動自在に連結されるロック解除用レバー１４１は、レバー付勢部材（図示略）による付勢力でロック部材を解放する初期回動位置を保持する。また、ロック解除用レバー１４１は、シートバックが着座状態から前傾した状態（以下、「前倒し」ともいう）にあるときにレバー付勢部材の付勢力に抗して回動することで前記相対移動の規制を解除する回動方向にロック部材を押圧する（以下、「ロック解除」ともいう）。
【０００５】
アッパレール１２０の上部に回動自在に連結されるとともに連結レバー１４３を介してロック解除用レバー１４１に連結されるメモリ作動用レバー１４２は、ロック解除用レバー１４１が初期回動位置を保持するときにメモリピース１３０を解放する初期回動位置を保持する。また、メモリ作動用レバー１４２は、シートバックの前倒しに伴いロック解除用レバー１４１等を介して回動することでメモリピース１３０を下方に押圧する（以下、「メモリ作動」ともいう）。さらに、アッパレール１２０に固定されたメモリ保持ブラケット１３５は、シートバックの前倒し後のアッパレール１２０のシート前方への移動に伴い、メモリピース１３０の上方に進入して該メモリピース１３０のロアレール１１０との係合状態等を保持する。さらにまた、アッパレール１２０の前端部に固定されたストッパ部材１３６は、シートバックの前倒しに伴いアッパレール１２０がシート前方に移動した後にシート後方に移動した際に、メモリピース１３０に当接して移動前のロアレール１１０及びアッパレール１２０の相対位置（記憶された相対位置）でシート後方への移動を規制する。
【先行技術文献】
【特許文献】
【０００６】
【特許文献１】特開２０１１−２０１４３４号公報
【発明の概要】
【発明が解決しようとする課題】
【０００７】
ところで、特許文献１では、シートバックの前倒しに伴うロック解除及びメモリ作動のために、アッパレール１２０の上部でロック解除用レバー１４１及びメモリ作動用レバー１４２等を回動させる必要があり、ロック解除及びメモリ作動のために大きなスペースを確保する必要があった。
【０００８】
本発明の目的は、シートバックの前倒しに伴うロック解除及びメモリ作動のために要するスペースをより縮小することができる車両用シートスライド装置を提供することにある。
【課題を解決するための手段】
【０００９】
上記課題を解決する車両用シートスライド装置は、互いに相対移動可能に連結されたロアレール及びアッパレールと、前記ロアレール及び前記アッパレールの相対移動を選択的に規制するロック部材と、前記ロアレール内に配置され、メモリピース付勢部材による付勢力で前記アッパレールと係合し、前記付勢力に抗した押圧力で前記ロアレールと係合するメモリピースと、前記アッパレール内で該アッパレールに回動自在に連結され、メモリリンク付勢部材による付勢力で前記ロック部材及び前記メモリピースを解放し、解除方向に回動することで前記相対移動の規制を解除する回動方向に前記ロック部材を押圧するとともに前記メモリピース付勢部材による付勢力に抗して前記メモリピースを押圧するメモリリンクと、前記相対移動の方向に前記アッパレールに移動自在に連結され、スライダ付勢部材による付勢力で前記メモリリンクを解放し、シートバックの前倒しに伴い移動することで前記解除方向に前記メモリリンクを押圧するスライド部材と、前記アッパレールに固定され、前記シートバックの前倒しに伴い前記アッパレールがシート前方に移動した後にシート後方に移動することで前記メモリピースに当接して、移動前の前記ロアレール及び前記アッパレールの相対位置でシート後方への移動を規制するストッパ部材とを備える。
【００１０】
この構成によれば、前記シートバックの前倒しに伴い前記スライダ付勢部材の付勢力に抗して前記スライダ部材が移動すると、前記メモリリンクが前記解除方向に押圧される。これに伴い、前記メモリリンク付勢部材の付勢力に抗して前記メモリリンクが前記解除方向に回動すると、前記ロック部材が前記相対移動の規制を解除する回動方向に押圧されるとともに前記メモリピースが前記メモリピース付勢部材による付勢力に抗して押圧される。これにより、前記ロック部材は、前記相対移動の規制を解除する（ロック解除）。同時に、前記メモリピースは、前記ロアレールと係合するとともに前記アッパレールとの係合を解除する（メモリ作動）。このとき、前記アッパレールは、シート前方に移動可能となる。一方、前記アッパレールがシート後方に移動しようとする際には、前記ロアレールとの固定状態にある前記メモリピースに前記ストッパ部材が当接することでその移動が規制される。つまり、前記シートバックの前倒し時には、前記アッパレールはシート前方にのみ移動可能となる。
【００１１】
前記シートバックの前倒しに伴い前記アッパレールがシート前方に移動した後にシート後方に移動してくると、前記ロアレールとの固定状態にある前記メモリピースに前記ストッパ部材が当接することでその移動が規制される。そして、前記シートバックの前倒しに伴い前記アッパレールがシート前方に移動する前の前記ロアレール及び前記アッパレールの相対位置（記憶された相対位置）が復帰される。
【００１２】
その後、前記シートバックの前倒しを解消すると、前記スライダ付勢部材による付勢力で前記スライダ部材が復帰するとともに、前記メモリリンク付勢部材による付勢力で前記メモリリンクが復帰する。そして、前記メモリリンクから解放された前記ロック部材が前記相対移動を規制する。同時に、メモリピース付勢部材による付勢力で前記メモリピースが前記アッパレールと係合するとともに前記ロアレールとの係合を解除する。
【００１３】
以上により、前記シートバックの前倒しに伴い前記アッパレールがシート前方に移動した後にシート後方に移動した際に、前記シートバックの前倒しの解消を経て移動前の状態が復帰される。
【００１４】
特に、シートバックの前倒しに伴うロック解除及びメモリ作動に際しては、前記スライダ部材が前記相対移動の方向に移動することになり、ロック解除及びメモリ作動のために要するスペースをより縮小することができる。
【００１５】
上記車両用シートスライド装置について、前記アッパレールには、ガイド孔が形成されており、前記スライド部材は、前記ガイド孔に前記相対移動の方向に移動可能に嵌挿されて前記解除方向に前記メモリリンクを押圧する押圧部材を有することが好ましい。
【００１６】
この構成によれば、前記押圧部材が前記ガイド孔に前記相対移動の方向に移動可能に嵌挿されることで、前記スライド部材は、前記押圧部材により前記解除方向に前記メモリリンクをより円滑に押圧することができる。
【００１７】
上記車両用シートスライド装置について、前記スライド部材は、前記アッパレールに摺接してその移動を案内するガイド部材を有することが好ましい。
この構成によれば、前記ガイド部材が前記アッパレールに摺接して前記スライド部材の移動を案内することで、該移動をより安定化することができる。
【００１８】
上記車両用シートスライド装置について、前記シートバックに一方の端末が連係され、前記スライド部材に他方の端末が連結されて、前記シートバックの前倒しに伴って前記スライド部材を移動させる解除ケーブルを備え、前記解除ケーブルは、前記相対移動の方向に前記スライド部材から前記シートバックに向かって延びることが好ましい。
【００１９】
この構成によれば、前記解除ケーブルは、前記相対移動の方向に前記スライド部材から前記シートバックに向かって延びることで、前記解除ケーブルを前記アッパレールに近傍に集約して配索することができる。
【発明の効果】
【００２０】
本発明は、シートバックの前倒しに伴うロック解除及びメモリ作動のために要するスペースをより縮小できる効果がある。
【図面の簡単な説明】
【００２１】
【図１】本発明の一実施形態を示す分解斜視図。
【図２】同実施形態を示す縦断面図。
【図３】（ａ）、（ｂ）は、図２の３Ａ−３Ａ線及び３Ｂ−３Ｂ線に沿った断面図。
【図４】（ａ）は、相対移動の規制状態を示す縦断面図であり、（ｂ）は、（ａ）の４Ｂ−４Ｂ線に沿った断面図。
【図５】（ａ）は、シートバックの前倒しに伴う相対移動の規制解除状態を示す縦断面図であり、（ｂ）は、（ａ）の５Ｂ−５Ｂ線に沿った断面図。
【図６】メモリピースを示す分解斜視図。
【図７】作動用スライダ及びその周辺構造を示す分解斜視図。
【図８】本発明が適用される車両用シートを示す側面図。
【図９】従来形態を示す縦断面図。
【発明を実施するための形態】
【００２２】
以下、車両用シートスライド装置の一実施形態について説明する。なお、以下では、車両の前後方向を「前後方向」という。
図８に示すように、車両フロア２には、ロアレール３が前後方向に延在する態様で固定されるとともに、該ロアレール３には、アッパレール４がロアレール３に対し前後方向に相対移動可能に装着されている。つまり、本実施形態では、ロアレール３及びアッパレール４の長手方向であってそれらの相対移動方向（シート前後方向）は前後方向に一致している。
【００２３】
なお、ロアレール３及びアッパレール４は、幅方向（図１において紙面に直交する方向）で対をなして配設されており、ここでは前方（シート前方）に向かって左側に配置されたものを示している。そして、両アッパレール４には、乗員の着座部を形成するシート５が固定・支持されている。このシート５は、シート座面を形成するシートクッション７と、該シートクッション７の後端部において回動軸Ｏの周りに傾動自在に支持されたシートバック８とを備えて構成される。なお、ロアレール３及びアッパレール４の相対移動は基本的に規制状態にあって、該規制状態を解除するための解除ハンドル６が設けられている。
【００２４】
図１に示すように、ロアレール３は、板材からなり、幅方向両側で上下方向に延びる一対の第１縦壁部１１及びこれら第１縦壁部１１の下端間を連結する底壁部１２を有する。そして、各第１縦壁部１１の上端には、幅方向内側に張り出して更に第１縦壁部１１の下端側に折り返された第１フランジ１３が連続形成されている。
【００２５】
また、図２に併せ示すように、ロアレール３の各第１フランジ１３の長手方向中間部には、当該方向に所定の間隔をもってその先端（下端）から上向きに複数の切り欠き１３ａが形成されるとともに、各隣り合う切り欠き１３ａ間に複数の四角歯状の係止爪１３ｂが形成されている。従って、複数の係止爪１３ｂは、前記所定の間隔をもってロアレール３の長手方向に並設されている。
【００２６】
図３（ａ）に示すように、アッパレール４は、板材からなり、ロアレール３の両第１フランジ１３間で上下方向に延びる一対の第２縦壁部１４及びこれら第２縦壁部１４の上端間を連結する蓋壁部１５を有する。そして、各第２縦壁部１４の下端には、幅方向外側に張り出して更に第１縦壁部１１及び第１フランジ１３に包囲されるように折り返された第２フランジ１６が連続形成されている。
【００２７】
つまり、ロアレール３及びアッパレール４は、開口側が互いに突き合わされた略Ｕ字状のレール断面をそれぞれ有しており、主として第１フランジ１３及び第２フランジ１６の係合によって上下方向に抜け止めされている。これらロアレール３及びアッパレール４により形成されるレール断面は、矩形状をなすいわゆる箱形である。ロアレール３は、アッパレール４と協働して空間Ｓを形成する。
【００２８】
各第２フランジ１６の下端部位及びこれに対向する第１縦壁部１１と底壁部１２との連結部位間、並びに各第２フランジ１６の上端部位及びこれに対向する第１フランジ１３と第１縦壁部１１との連結部位間には、複数の球体状のボール２０ａが介設されている。図１に示すように、各ボール２０ａは、前後方向（レール長手方向）に延在する樹脂製のホルダ２０ｂに装着される。各ホルダ２０ｂに装着されるボール２０ａは、ホルダ２０ｂの前端部に配置された一対及び後端部に配置された一対の合計４個である。アッパレール４は、ロアレール３との間で各ボール２０ａを転動させる態様で、該ロアレール３に対し長手方向（前後方向）に摺動自在に支持されている。
【００２９】
アッパレール４の両第２縦壁部１４には、それらの長手方向中央部において幅方向に連通する略四角形の透孔１４ａが形成されている。また、アッパレール４の両第２フランジ１６の上端部位には、それらの長手方向における透孔１４ａの位置に合わせて略四角形の切り欠き１６ｂが形成されている。各切り欠き１６ｂは、上方に開いて幅方向に連通している。
【００３０】
また、図３（ａ）に示すように、両第２縦壁部１４には、透孔１４ａの前方で幅方向に連通する互いに同心の円形の軸取付孔１４ｂ，１４ｃがそれぞれ形成されている。そして、両第２縦壁部１４には、軸取付孔１４ｂ，１４ｃに両端部の挿入された円柱状の支持軸２２が支持されている。この支持軸２２の中心線が幅方向に延びることはいうまでもない。
【００３１】
図１に示すように、アッパレール４内には、両第２縦壁部１４の幅方向内側で、支持軸２２によりロックレバー３０が回動自在に連結されている。すなわち、ロックレバー３０は、前後方向に延在する板材からなる柄部３１を備える。柄部３１は、その長手方向に延在する一対の縦壁部３２が幅方向に並設される態様で立設されている。両縦壁部３２は、各々の前端部において接続壁３３により上端縁間が幅方向に接続されるとともに、各々の後端部において天板部３４により上端縁間が幅方向に接続されている。
【００３２】
両縦壁部３２には、支持軸２２（軸取付孔１４ｂ，１４ｃ）と同等の上下方向の位置で前後方向に延在する長孔３５がそれぞれ形成されている。この長孔３５の短手方向（上下方向）の開口幅は、支持軸２２の直径と同等に設定されている。両長孔３５には、柄部３１の両縦壁部３２がアッパレール４の両第２縦壁部１４に幅方向に挟まれた状態で、両軸取付孔１４ｂ，１４ｃに両端部の挿入等される支持軸２２が挿通される。これにより、柄部３１は、長孔３５の範囲で前後方向の移動が許容された状態でアッパレール４に対して上下方向に回動自在に連結されている。
【００３３】
また、ロックレバー３０は、柄部３１の後端部下部に固着された板材からなるロックプレート３９を備える。図３（ｂ）に併せ示すように、このロックプレート３９は、透孔１４ａ及び切り欠き１６ｂを幅方向に貫通する態様で前後方向及び幅方向に広がっている。そして、ロックプレート３９には、各第１フランジ１３に対向して上下方向に開口する係止孔３９ｂが形成されている。係止孔３９ｂは、前後方向に複数（３個）が前記所定の間隔をもって並設されており、ロアレール３の長手方向で隣り合う複数（３個）の係止爪１３ｂと合致可能な位置に配置されている。
【００３４】
そして、図３（ｂ）に実線で示すように、ロックプレート３９が上昇するようにロックレバー３０が支持軸２２の周りに回動するとき、各係止孔３９ｂに対応する係止爪１３ｂを嵌入可能となっている。各係止孔３９ｂに対応する係止爪１３ｂを嵌入するとき、ロアレール３及びアッパレール４の相対移動が規制される。一方、図３（ｂ）に２点鎖線で示すように、ロックプレート３９が下降するようにロックレバー３０が支持軸２２の周りに回動するとき、各係止孔３９ｂが対応する係止爪１３ｂから外れるように設定されている。このとき、ロアレール３及びアッパレール４の相対移動の規制が解除される。
【００３５】
なお、ロックプレート３９の幅方向の寸法は、切り欠き１６ｂよりも下方の両第２フランジ１６間の幅方向の距離よりも小さく設定されている。従って、ロックプレート３９は、ロアレール３及びアッパレール４の相対移動の規制状態で切り欠き１６ｂを幅方向に貫通するものの、前記相対移動の規制の解除状態で第２フランジ１６と干渉することはない。
【００３６】
図１に示すように、アッパレール４内には、１本の線材からなるロックスプリング５０が配置される。このロックスプリング５０は、平面視において前側に開口する略コ字状に成形されている。そして、ロックスプリング５０は、その長手方向中間部を上方に湾出してなる楔部５３を有するとともに、後端部を上方に屈曲してなるレバー側係止端部５４を有する。また、ロックスプリング５０の前端部は、レール側係止端部５５を形成する。図２に併せ示すように、ロックスプリング５０は、支持軸２２の上方から該支持軸２２を楔部５３に挟入し、ロックプレート３９の下方から該ロックプレート３９にレバー側係止端部５４を挿通・固定し、レール側係止端部５５をアッパレール４の蓋壁部１５下面に当接させることで、アッパレール４等に支持されている。
【００３７】
このとき、ロックスプリング５０は、レバー側係止端部５４においてロックプレート３９が上昇する側、即ち各係止孔３９ｂに対応する係止爪１３ｂが嵌入する側にロックレバー３０を回動付勢する。また、ロックスプリング５０は、その反力で楔部５３において支持軸２２を下方に、即ち長孔３５の長手方向に交差する方向に付勢することで長孔３５内での支持軸２２の前後方向の移動を規制する。
【００３８】
なお、前記解除ハンドル６は、筒材を曲げ成形してなり、アッパレール４の前側開口端から該アッパレール４内に挿入され、柄部３１の前端部が挿入されることでロックレバー３０に連結される。従って、解除ハンドル６は、基本的に支持軸２２の周りにロックレバー３０と一体回動する。そして、解除ハンドル６の前端が持ち上がると、該解除ハンドル６と共にロックレバー３０がロックスプリング５０の付勢力に抗して支持軸２２の周りにロックプレート３９が下降する側、即ち各係止孔３９ｂが対応する係止爪１３ｂから外れる側に回動する。
【００３９】
ここで、解除ハンドル６の操作力が解放されているものとする。このとき、ロックスプリング５０の付勢力により、解除ハンドル６と共にロックレバー３０が支持軸２２の周りにロックプレート３９が上昇する側、即ち各係止孔３９ｂが対応する係止爪１３ｂに嵌入する側に回動されることで、前述の態様でロアレール３及びアッパレール４の相対移動が規制される。そして、アッパレール４に支持されるシート５の前後方向の位置が保持される。
【００４０】
その後、解除ハンドル６がその前端を持ち上げるように操作されたとする。このとき、ロックスプリング５０の付勢力に抗して、解除ハンドル６と共にロックレバー３０が支持軸２２の周りにロックプレート３９が下降する側、即ち各係止孔３９ｂが対応する係止爪１３ｂから外れる側に回動されることで、前述の態様でロアレール３及びアッパレール４の相対移動の規制が解除される。そして、アッパレール４に支持されるシート５の前後方向の位置調整が可能になる。
【００４１】
図４（ａ）、（ｂ）に示すように、ロアレール３の底壁部１２には、その長手方向に前記所定の間隔をもって複数の円形の下側係止孔１２ａが形成されている。そして、底壁部１２には、アッパレール４の両第２縦壁部１４間の距離よりも小さい幅を有する板材からなる略長尺状のメモリガイド２５が複数の下側係止孔１２ａに沿って延設されている。このメモリガイド２５は、その幅方向両端部を互いに対向する幅方向内側に折返してなる一対のガイド爪２６を有して断面略Ｃ字形状を呈しており、その幅方向中央部には、複数の下側係止孔１２ａにそれぞれ対向して複数の円形の挿通孔２７が形成されている。従って、複数の挿通孔２７も、前記所定の間隔をもってロアレール３の長手方向に並設されている。なお、挿通孔２７の内径は、下側係止孔１２ａの内径よりも大きく設定されている。
【００４２】
メモリガイド２５には、メモリピース６０が載置されている。図６に併せ示すように、このメモリピース６０は、メモリベース６１と、メモリピン６２と、係止プレート６３と、外れ防止プレート６４と、例えばコイルスプリングからなる第１付勢部材６５及び第２付勢部材６６とを備えて構成される。
【００４３】
メモリベース６１は、メモリガイド２５の幅と同等の幅を有して略ブロック状に成形されており、メモリガイド２５（ロアレール３）に沿って前後方向（シート前後方向）に移動自在となっている。すなわち、メモリベース６１には、その幅方向両端面から互いの対向する幅方向内側に凹む一対のガイド溝６１ａが前後方向の全長に亘って形成されている。メモリベース６１は、これら両ガイド溝６１ａにメモリガイド２５の両ガイド爪２６が前後方向に摺動自在に係入されることで、両ガイド爪２６に案内されつつメモリガイド２５に沿って前後方向に移動する。
【００４４】
また、メモリベース６１には、上方に開口する略四角形のガイド穴６１ｂが形成されるとともに、前記下側係止孔１２ａの内径と同等の内径を有してガイド穴６１ｂの底壁を貫通する円形の挿通孔６１ｃが形成されている。そして、メモリベース６１のガイド穴６１ｂには、第１付勢部材６５が収容されるとともに、該第１付勢部材６５に挿通される態様でメモリピン６２が装着される。このメモリピン６２は、ガイド穴６１ｂの外形に合わせて略四角柱状に成形された本体部６２ａを有しており、該本体部６２ａにおいてガイド穴６１ｂにより上下方向の移動が案内されている。このとき、メモリピン６２は、本体部６２ａが第１付勢部材６５に載置されることで上方に移動する側に常時付勢される。
【００４５】
メモリピン６２は、本体部６２ａよりも幅方向及び前後方向に縮小されてその上側に突出する略四角柱状の頭部６２ｂを有するとともに、挿通孔６１ｃと同心で本体部６２ａから第１付勢部材６５を貫通しつつ下側に突出する略円柱状の係止部６２ｃを有する。係止部６２ｃの外径は、挿通孔６１ｃ（下側係止孔１２ａ）の内径と同等に設定されている。
【００４６】
なお、本体部６２ａには、その幅方向全長に亘って後端面の上下方向中間部から前方に凹む略Ｕ字溝状の被係止溝６２ｄが形成されている。また、本体部６２ａの上面は、頭部６２ｂとの境界位置に略四角環状の段差部６２ｅを形成する。
【００４７】
さらに、メモリベース６１には、その上下方向中間部で後端面及びガイド穴６１ｂ間を前後方向に連通する円形の収容孔６１ｄが形成されている。この収容孔６１ｄの内径は、ガイド穴６１ｂの幅方向の開口幅よりも小さく設定されている。そして、この収容孔６１ｄには、第２付勢部材６６が収容されている。
【００４８】
また、メモリベース６１には、収容孔６１ｄの上下方向中央部の位置で前後方向に連通するプレートガイド孔６１ｅが形成されている。このプレートガイド孔６１ｅは、幅方向に延在するスリット形状を呈している。プレートガイド孔６１ｅの幅方向の開口幅は、ガイド穴６１ｂの幅方向の開口幅よりも大きく設定されており、従って、ガイド穴６１ｂ及び収容孔６１ｄの各々の内壁面は、プレートガイド孔６１ｅにより幅方向両外側に溝状に切り欠かれている。そして、このプレートガイド孔６１ｅには、その前方から係止プレート６３が前後方向に摺動自在に挿入・案内されている。すなわち、係止プレート６３は、プレートガイド孔６１ｅの幅方向の開口幅と同等の幅を有する略四角板状に成形されており、前方からプレートガイド孔６１ｅに嵌挿されている。このとき、係止プレート６３は、その後端部が収容孔６１ｄに進入して第２付勢部材６６に圧接することで、前方に常時付勢されるようになっている。
【００４９】
係止プレート６３の中央部には、略四角形の透孔６３ａが形成されている。この透孔６３ａの幅方向の開口幅は、ガイド穴６１ｂの幅方向の開口幅（本体部６２ａの幅）と同等に設定されており、前後方向の開口幅は、ガイド穴６１ｂの前後方向の開口幅（本体部６２ａの前後方向の長さ）よりも大きく設定されている。
【００５０】
ガイド穴６１ｂにおいて第１付勢部材６５により上方に付勢されるメモリピン６２は、基本的に被係止溝６２ｄよりも下方の本体部６２ａにおいて透孔６３ａを貫通している。従って、第２付勢部材６６に付勢される係止プレート６３の前方への移動は、透孔６３ａのシート後側縁部６３ｃが本体部６２ａに当接することで規制されている。このとき、ガイド穴６１ｂ（及び透孔６３ａ）内でのメモリピン６２の上下方向の移動が許容される。
【００５１】
一方、ガイド穴６１ｂ内でメモリピン６２が第１付勢部材６５の付勢力に抗して下方に移動し、被係止溝６２ｄが係止プレート６３の上下方向の位置に到達すると、第２付勢部材６６の付勢力で前方に移動する透孔６３ａのシート後側縁部６３ｃが被係止溝６２ｄに嵌入する。このとき、ガイド穴６１ｂ（及び透孔６３ａ）内でのメモリピン６２の上下方向の移動が規制される（図５（ａ）参照）。
【００５２】
なお、係止プレート６３の前端部は、下方から後方に略弓形に折り返されて被押圧部６３ｂを形成する。
さらに、メモリベース６１には、プレートガイド孔６１ｅの上方で前端面及びガイド穴６１ｂ間を前後方向に連通する略四角形の前側掛止孔６１ｆが形成されるとともに、収容孔６１ｄの下方で後端面及びガイド穴６１ｂ間を前後方向に連通する略四角形の後側掛止孔６１ｇが形成されている。そして、外れ防止プレート６４は、これら前側掛止孔６１ｆ及び後側掛止孔６１ｇにおいてメモリベース６１に固定されている。すなわち、外れ防止プレート６４は、板材からなり、メモリベース６１の上面に沿って広がるとともに、前端部及び後端部から下方に前側掛止爪６４ａ及び後側掛止爪６４ｂをそれぞれ延出する。外れ防止プレート６４は、メモリベース６１の上面に当接する状態でその前側掛止爪６４ａ及び後側掛止爪６４ｂが前側掛止孔６１ｆ及び後側掛止孔６１ｇにそれぞれ嵌入されることでメモリベース６１に固定されている。
【００５３】
外れ防止プレート６４の中央部には、略四角形の頭部挿入孔６４ｃが形成されている。この頭部挿入孔６４ｃの幅方向の開口幅及び前後方向の開口幅は、頭部６２ｂの幅及び前後方向の長さとそれぞれ同等に設定されている。そして、第１付勢部材６５に上方に付勢されるメモリピン６２は、その頭部６２ｂが頭部挿入孔６４ｃに嵌挿されている。従って、第１付勢部材６５に付勢されるメモリピン６２の上方への移動は、段差部６２ｅが頭部挿入孔６４ｃの周縁部に当接することで規制されている。つまり、外れ防止プレート６４は、メモリピン６２の最上方位置を規制して該メモリピン６２の上方への抜け止めをしている。なお、外れ防止プレート６４は、係止プレート６３を前方に付勢する第２付勢部材６６の後端に圧接すること該第２付勢部材６６の後方への抜け止めを併せて行っている。
【００５４】
ここで、図４（ａ）に示すように、メモリピン６２が上方に移動して段差部６２ｅが頭部挿入孔６４ｃの周縁部に当接する状態（段差部６２ｅによりメモリピン６２の上方への移動が規制される状態）では、頭部６２ｂが外れ防止プレート６４から上方に大きく突出している。このとき、挿通孔６１ｃからの係止部６２ｃ先端の突出長が僅少又は皆無になるように設定されており、メモリピース６０は、メモリガイド２５（底壁部１２）の長手方向に移動可能である。
【００５５】
一方、図５（ａ）に示すように、下方に移動したメモリピン６２の被係止溝６２ｄに係止プレート６３の透孔６３ａのシート後側縁部６３ｃが嵌入してメモリピン６２の上下方向への移動が規制される状態では、係止部６２ｃがメモリベース６１から下方に大きく突出している。従って、このときに係止部６２ｃの下側に前記下側係止孔１２ａ（挿通孔２７）が開口していれば、係止部６２ｃの先端が挿通孔２７及び下側係止孔１２ａを貫通する。このとき、メモリピース６０は、ロアレール３（底壁部１２）に固定されてその長手方向に移動不能となる。
【００５６】
図４（ａ）に示すように、アッパレール４には、ロックレバー３０の後方で、板材からなるストッパ部材７０が固定・支持されている。すなわち、ストッパ部材７０は、メモリベース６１よりも上方、且つ、該メモリベース６１から相対的に大きく突出しているメモリピン６２（頭部６２ｂ）よりも下方の位置で前後方向に延びる支持壁部７１を有する。また、ストッパ部材７０は、支持壁部７１よりも拡幅されてその前端から下方に延びる押圧片７２を有するとともに、支持壁部７１の後端から後方上側に延びる略Ｌ字状の取付片７３を有する。ストッパ部材７０は、取付片７３を蓋壁部１５と共に上下方向に貫通する締結具７８によりアッパレール４に締結されている。
【００５７】
また、ストッパ部材７０は、押圧片７２の幅方向両端から前方に延びる一対の被支持フランジ７４を有する。これら被支持フランジ７４には、幅方向に連通する円形の軸挿通孔７４ａが形成されている。これら両被支持フランジ７４間の幅方向の距離は、アッパレール４の両第２縦壁部１４間の幅方向の距離と同等に設定されている。そして、両軸挿通孔７４ａには、両第２縦壁部１４に両端部の挿入された円柱状の固定ピン７９が挿通されている。この固定ピン７９の中心線が幅方向に延びることはいうまでもない。
【００５８】
以上により、ストッパ部材７０は、締結具７８及び固定ピン７９により前後の２箇所でアッパレール４に堅固に固定・支持されている。
ストッパ部材７０は、支持壁部７１の前端部の幅方向両端から押圧片７２に沿って下方に延びる一対のストッパ片７５を有する。これらストッパ片７５は、その後方で係止プレート６３よりも上方のメモリベース６１に対向している。一方、押圧片７２は、その後方で係止プレート６３に対向している。つまり、ストッパ部材７０は、アッパレール４と共に後方に移動する際に、両ストッパ片７５においてメモリベース６１に当接可能であるとともに、押圧片７２において係止プレート６３（被押圧部６３ｂ）に当接可能である。特に、両ストッパ片７５がメモリベース６１に当接する状態では、押圧片７２は、第２付勢部材６６の付勢力に抗して係止プレート６３を後方に移動させており、これにより、第１付勢部材６５により上方に付勢されるメモリピン６２は、その頭部６２ｂを外れ防止プレート６４から上方に大きく突出させている。
【００５９】
なお、支持壁部７１の中央部には、上下方向に連通する上側係止孔７１ａが形成されている。この上側係止孔７１ａの幅方向の開口幅及び前後方向の開口幅は、メモリピン６２の頭部６２ｂの幅及び前後方向の長さとそれぞれ同等に設定されている。そして、ストッパ部材７０が両ストッパ片７５においてメモリベース６１に当接する状態では、第１付勢部材６５により上方に付勢されるメモリピン６２は、その頭部６２ｂが上側係止孔７１ａに嵌挿されるようになっている。
【００６０】
従って、メモリピン６２（メモリピース６０）は、ロアレール３（メモリガイド２５）に沿って前後方向に移動可能である一方で、ストッパ部材７０が固定されるアッパレール４に対して前後方向に移動不能である。すなわち、メモリピン６２は、メモリベース６１から上方に突出する状態にあるときにアッパレール４と係合するとともにロアレール３との係合を解除する。そして、ロアレール３に対してアッパレール４が前後方向の移動するとき、メモリピン６２（メモリピース６０）も一体で前後方向に移動する。あるいは、ロックレバー３０によりロアレール３に対するアッパレール４の前後方向の移動が規制されるとき、メモリピン６２（メモリピース６０）の前後方向の移動も規制される。このとき、メモリピン６２の係止部６２ｃの下側に複数の下側係止孔１２ａ（挿通孔２７）のいずれか一つが開口するように設定されている。
【００６１】
なお、既述のように、メモリピン６２の係止部６２ｃがメモリベース６１から下方に大きく突出してその先端が挿通孔６１ｃ，２７及び下側係止孔１２ａを貫通するとき、メモリピース６０はロアレール３（底壁部１２）に固定されてその長手方向に移動不能となる。このとき、メモリピン６２の頭部６２ｂは、支持壁部７１よりも下方に位置するように設定されている。これにより、例えばメモリピン６２の頭部６２ｂが上側係止孔７１ａから外れることで、メモリピース６０を残置したままでのアッパレール４の前方への移動が許容される。すなわち、メモリピン６２は、メモリベース６１から下方に突出する状態にあるときにロアレール３と係合するとともにアッパレール４との係合を解除する。
【００６２】
ストッパ部材７０は、支持壁部７１の後端部の幅方向両端から上方に延びる一対の取付フランジ７６を有する。そして、ストッパ部材７０には、両取付フランジ７６の幅方向内側で、幅方向に軸線の延びる取付ピン７７によりメモリリンク８０が回動自在に連結されている。すなわち、メモリリンク８０は、板材からなり、前後方向に延在する略長方形の天板部８１を有するとともに、該天板部８１の幅方向両端から下方に延びる一対の縦壁部８２を有する。そして、メモリリンク８０は、両取付フランジ７６に挟まれる両縦壁部８２の後端部において、両取付フランジ７６と共に幅方向に貫通する取付ピン７７により回動自在に連結されている。
【００６３】
天板部８１は、ストッパ部材７０に沿ってその上方を前後方向に延びており、その前端部は、前方に向かうに従って下方に向かうように傾斜して斜面状の被押圧部８１ａを形成する。被押圧部８１ａはロックレバー３０（天板部３４）の後端部上方にまで到達している。そして、天板部８１の前端は、縦壁部８２の下端よりも下方に突出する略爪状の押圧部８１ｂを形成する。従って、図４（ａ）から図５（ａ）への変化で示すように、メモリリンク８０が取付ピン７７を中心に図示反時計回転方向（以下、「解除方向」ともいう）に回動したとする。このとき、押圧部８１ｂに押圧されるロックレバー３０がロックスプリング５０の付勢力に抗して支持軸２２の周りにロックプレート３９が下降する側、即ち各係止孔３９ｂが対応する係止爪１３ｂから外れる側に回動するようになっている。
【００６４】
また、天板部８１の被押圧部８１ａよりも後方の部位には、上側係止孔７１ａに対向して下方に突出する略舌片状の押圧突部８３が固着されている。従って、図４（ａ）から図５（ａ）への変化で示すように、メモリリンク８０が取付ピン７７を中心に図示反時計回転方向（解除方向）に回動したとする。このとき、押圧突部８３が上側係止孔７１ａに挿入される。このとき、上側係止孔７１ａにメモリピン６２の頭部６２ｂが嵌入していれば、メモリピン６２は、押圧突部８３に押圧されてメモリベース６１から下方に突出するとともに、前述の態様で係止プレート６３により上下方向の移動が規制される。なお、押圧突部８３に押圧されるメモリピン６２が係止プレート６３により上下方向の移動が規制されるときのメモリリンク８０の回動位置では、押圧部８１ｂに押圧されるロックレバー３０は、ロックプレート３９の各係止孔３９ｂが対応する係止爪１３ｂから外れる回動位置に到達するように設定されている。
【００６５】
なお、取付ピン７７の周りには、例えば捩りコイルスプリングからなるメモリリンク付勢部材８５が巻回されている。このメモリリンク付勢部材８５は、一端がストッパ部材７０（支持壁部７１）に係止され、他端がメモリリンク８０（天板部８１）に係止されて、該メモリリンク８０を図示時計回転方向に回動付勢する。メモリリンク８０は、メモリリンク付勢部材８５による付勢力でロックレバー３０及びメモリピース６０（メモリピン６２）を解放する初期回動位置を保持するようになっている。
【００６６】
アッパレール４の蓋壁部１５には、メモリリンク８０の前端部に対向して上下方向に連通する略長方形のガイド孔１５Ａが形成されている。そして、蓋壁部１５には、メモリリンク８０等の近傍で、スライド部材としての作動用スライダ９０が前後方向に摺動自在に支持されている。図７に併せ示すように、この作動用スライダ９０は、ガイド部材９１と、ワイヤ取付部材９２と、押圧部材９３とを備えて構成される。
【００６７】
ガイド部材９１は、アッパレール４の片側の第２縦壁部１４の幅方向外側で前後方向に延在する略ブロック状のガイド部９１ａを有するとともに、該ガイド部９１ａの長手方向中間部から蓋壁部１５に沿って幅方向内側に延出する略平板状の取付片９１ｂを有する。そして、取付片９１ｂには、ガイド孔１５Ａに対向して上下方向に開口する略長方形の嵌合孔９１ｃが形成されている。この嵌合孔９１ｃの幅方向の開口幅は、ガイド孔１５Ａの当該方向の開口幅と同等に設定されており、嵌合孔９１ｃの前後方向の開口幅は、ガイド孔１５Ａの当該方向の開口幅よりも小さく設定されている。
【００６８】
ワイヤ取付部材９２は、板材からなり、ガイド部材９１のガイド部９１ａの幅方向外側で前後方向に延在する略Ｕ字溝状のワイヤ取付部９２ａを有する。また、ワイヤ取付部材９２は、ワイヤ取付部９２ａの幅方向内側の上端から当該側に延出する略平板状のフランジ９２ｂを有するとともに、該フランジ９２ｂの後端部から幅方向内側下方に延出する略Ｌ字状の取付片９２ｃを有する。取付片９２ｃには、嵌合孔９１ｃに対向して上下方向に開口する略円形の挿入孔９２ｄが形成されている。この挿入孔９２ｄの内径は、嵌合孔９１ｃの幅方向の開口幅と同等に設定されている。そして、ワイヤ取付部材９２は、取付片９２ｃが取付片９１ｂに載置された状態で、挿入孔９２ｄが嵌合孔９１ｃの中央部に開口可能となっている。なお、ワイヤ取付部９２ａの幅方向に並設される一対の縦壁の各々の前端部には、幅方向に開口する円形の取付孔９２ｅが形成されている。
【００６９】
押圧部材９３は、アッパレール４の蓋壁部１５と共にガイド部材９１及びワイヤ取付部材９２に挿設されている。すなわち、この押圧部材９３は、上向きに凸となる略鍋形の頭部９３ａを有するとともに、該頭部９３ａよりも縮径されてその下端に接続された略円柱状の挿入部９３ｂを有し、更に該挿入部９３ｂの下端に接続された略四角柱状の嵌合部９３ｃを有する。挿入部９３ｂの外径は挿入孔９２ｄの内径と同等に設定されており、嵌合部９３ｃの幅方向及び前後方向の寸法は、嵌合孔９１ｃの幅方向及び前後方向の開口幅とそれぞれ同等に設定されている。
【００７０】
また、押圧部材９３は、嵌合部９３ｃの前後方向の寸法よりも大きい外径を有してその下端に接続された下向きに凸となる略鍋形の押圧部９３ｄを有する。押圧部材９３は、挿入部９３ｂが挿入孔９２ｄに挿入され、嵌合部９３ｃが嵌合孔９１ｃに嵌挿されるとともにガイド孔１５Ａに前後方向への移動が許容された状態で挿入される。このとき、押圧部材９３は、頭部９３ａが挿入孔９２ｄ上端の周縁部に当接するとともに、押圧部９３ｄがガイド孔１５Ａ下端の周縁部に当接することで、ガイド部材９１等に対して抜け止めされる。なお、押圧部９３ｄの上下方向中間部には、内周側に向かって凹む環状の支持溝９３ｅが形成されている。
【００７１】
以上により、作動用スライダ９０は、押圧部材９３の嵌合部９３ｃがガイド孔１５Ａの前端に当接する状態から後端に当接する状態までの範囲で蓋壁部１５に対して前後方向に摺動可能となっている。図４（ａ）に示すように、嵌合部９３ｃがガイド孔１５Ａの前端に当接する状態では、押圧部材９３（押圧部９３ｄ）の下端は、初期回動位置にあるメモリリンク８０の前方でその前端に当接又は近接している。従って、図４（ａ）から図５（ａ）への変化で示すように、作動用スライダ９０がアッパレール４に沿って後方に移動すると、押圧部９３ｄの下端に押圧されるメモリリンク８０がメモリリンク付勢部材８５の付勢力に抗して取付ピン７７の周りに前記解除方向に回動する。
【００７２】
アッパレール４の蓋壁部１５には、ガイド孔１５Ａの前方で上下方向に連通する略円形の取付孔１５Ｂが形成されている。そして、取付孔１５Ｂには、スプリング支持部材９５が取着されている。このスプリング支持部材９５は、上向きに凸となる略鍋形の頭部９５ａを有するとともに、該頭部９５ａよりも縮径されてその下端に接続された略円柱状の挿入部９５ｂを有し、更に該挿入部９５ｂよりも拡径されてその下端に接続された下向きに凸となる略鍋形の支持部９５ｃを有する。挿入部９５ｂの外径は取付孔１５Ｂの内径と同等に設定されている。スプリング支持部材９５は、挿入部９３ｂが取付孔１５Ｂに挿入され、頭部９５ａが取付孔１５Ｂ上端の周縁部に当接するとともに、支持部９５ｃが取付孔１５Ｂ下端の周縁部に当接することで、蓋壁部１５に対して抜け止めされる。なお、支持部９５ｃの上下方向中間部には、内周側に向かって凹む環状の支持溝９５ｄが形成されている。
【００７３】
押圧部材９３の支持溝９３ｅには、板材からなる環状の可動側係止プレート９６が固定されている。この可動側係止プレート９６には、押圧部９３ｄが挿通可能に上下方向に連通する挿通孔９６ａが形成されるとともに、該挿通孔９６ａの前端中央部から前方に凹む湾状の係止溝９６ｂが形成されている。可動側係止プレート９６は、挿通孔９６ａの後端周縁部が支持溝９３ｅに嵌着されることで押圧部材９３に固定されている。
【００７４】
一方、スプリング支持部材９５の支持溝９５ｄには、板材からなる環状の固定側係止プレート９７が固定されている。この固定側係止プレート９７には、支持部９５ｃが挿通可能に上下方向に連通する挿通孔９７ａが形成されるとともに、該挿通孔９７ａの後端中央部から後方に凹む湾状の係止溝９７ｂが形成されている。固定側係止プレート９７は、挿通孔９７ａの前端周縁部が支持溝９５ｄに嵌着されることでスプリング支持部材９５に固定されている。
【００７５】
可動側係止プレート９６の係止溝９６ｂ及び固定側係止プレート９７の係止溝９７ｂには、例えばコイルスプリングからなるスライダ付勢部材９８の両端末がそれぞれ係止されている。このスライダ付勢部材９８は、可動側係止プレート９６等を介して作動用スライダ９０を前方に向かって付勢する。従って、作動用スライダ９０は、スライダ付勢部材９８の付勢力により、基本的に押圧部材９３の嵌合部９３ｃがガイド孔１５Ａの前端に当接する状態（メモリリンク８０を解放する初期位置）に保持されている。
【００７６】
ワイヤ取付部材９２には、両取付孔９２ｅにおいて解除ケーブル９９の一方の端末９９ａが係止されている。すなわち、端末９９ａは、取付孔９２ｅの内径と同等の外径を有して幅方向に中心線の延びる略円柱形状を呈しており、各先端が取付孔９２ｅに挿入されることでワイヤ取付部材９２に係止されている。
【００７７】
解除ケーブル９９は、取付孔９２ｅから後方に延びており、その他方の端末はシートバック８に連結されている。解除ケーブル９９は、シートバック８が着座状態から前傾した状態（以下、「前倒し」ともいう）にあるとき、ワイヤ取付部材９２（作動用スライダ９０）を後方に引っ張ることで、スライダ付勢部材９８の付勢力に抗して作動用スライダ９０を後方に移動させる。このとき、押圧部９３ｄの下端に押圧されるメモリリンク８０がメモリリンク付勢部材８５の付勢力に抗して取付ピン７７の周りに前記解除方向に回動することは既述のとおりである。
【００７８】
ここで、図４（ａ）、（ｂ）に示すように、シートバック８が前倒しされておらず、作動用スライダ９０がスライダ付勢部材９８による付勢力でメモリリンク８０を解放する初期位置に保持されているものとする。そして、メモリリンク８０がメモリリンク付勢部材８５による付勢力でロックレバー３０及びメモリピース６０（メモリピン６２）を解放する初期回動位置に保持されているものとする。また、メモリピン６２が第１付勢部材６５の付勢力によりメモリベース６１から突出してストッパ部材７０（アッパレール４）と係合するとともにロアレール３との係合を解除しているものとする。このとき、メモリピン６２（係止部６２ｃ）の下側に複数の下側係止孔１２ａ（挿通孔２７）のいずれか一つが開口することは既述のとおりである。
【００７９】
この状態で、解除ハンドル６の操作力が解放されていれば、前述の態様でロックレバー３０によりロアレール３に対する相対移動が規制されるアッパレール４と共に、メモリピン６２（メモリピース６０）の移動も規制される。
【００８０】
一方、解除ハンドル６が操作されると、ロックレバー３０によるロアレール３に対する相対移動の規制が解除されるアッパレール４と共に、メモリピン６２（メモリピース６０）が移動可能となる。つまり、解除ハンドル６の操作を経てアッパレール４を前後方向に移動させる際には、メモリピース６０も一体で前後方向に移動する。
【００８１】
すなわち、シートバック８が着座状態にあるときには、メモリピース６０はアッパレール４と一体で前後方向に移動する。
次に、図４（ａ）、（ｂ）に示す状態で、シートバック８が前倒しされると、図５（ａ）、（ｂ）への変化で示すように、解除ケーブル９９に引っ張られる作動用スライダ９０がスライダ付勢部材９８の付勢力に抗してアッパレール４に沿って後方に移動する。このとき、ガイド部材９１のガイド部９１ａが第２縦壁部１４の外側面に摺接することで、ガイド孔１５Ａに沿う押圧部材９３の後方への移動がより安定化される。そして、後方に移動する押圧部材９３の押圧部９３ｄに押圧されるメモリリンク８０が前記解除方向に回動する。
【００８２】
これに伴い、メモリリンク８０の押圧部８１ｂに押圧されるロックレバー３０がロアレール３に対するアッパレール４の相対移動の規制を解除する（ロック解除）。同時に、メモリリンク８０の押圧突部８３に押圧されるメモリピン６２がメモリベース６１から下方に突出することで、ロアレール３と係合するとともにストッパ部材７０（アッパレール４）との係合を解除する（メモリ作動）。このとき、アッパレール４は、メモリピン６２（メモリピース６０）をロアレール３に残置したまま前方に移動可能となる。
【００８３】
なお、ロックレバー３０は、シートバック８が前倒し状態にある限り、メモリリンク８０の押圧部８１ｂに押圧され続けることになり、従って、ロアレール３に対するアッパレール４の相対移動の規制の解除状態を維持する。つまり、シートバック８の前倒し状態では、アッパレール４（シート５）は、周知のストッパ機構により前方への移動が規制されるまで、当該方向の移動が許容される（いわゆるウォークイン動作）。また、アッパレール４が前方に移動する直前の状態又は前方に移動した任意の状態で、シートバック８が引き起こされて前倒しが解消されると、ロックレバー３０は、初期回動位置に復帰するメモリリンク８０の押圧部８１ｂから解放されて、ロアレール３に対するアッパレール４の相対移動を規制する。
【００８４】
シートバック８の前倒し状態のまま、前方に移動していたアッパレール４がその後に後方に移動してくると、まず、ストッパ部材７０の押圧片７２が係止プレート６３（被押圧部６３ｂ）に接触する。この段階では、ストッパ部材７０の両ストッパ片７５及びメモリベース６１は前後方向に離隔されている。
【００８５】
その後、アッパレール４が後方に更に移動してくると、ストッパ部材７０の両ストッパ片７５がメモリベース６１に当接することで、アッパレール４の後方への移動が規制される。すなわち、シートバック８が前倒し状態にあるときに、シート後方に移動するストッパ部材７０の両ストッパ片７５（アッパレール４）がメモリベース６１に当接するようになっている。つまり、アッパレール４は、シートバック８の前倒しに伴い前方に移動する直前の位置（記憶された位置）で停止する。同時に、ストッパ部材７０の押圧片７２に押圧される係止プレート６３が後方に移動することで、該係止プレート６３によるメモリピン６２の上下方向への移動規制が解除される。ただし、これに代わってメモリピン６２上にメモリリンク８０の押圧突部８３が進入してくることになり、該押圧突部８３によりメモリピン６２の上方への移動が規制される。
【００８６】
その後、シートバック８が引き起こされて前倒しが解消されると、図４（ａ）への変化で示すように、スライダ付勢部材９８に付勢される作動用スライダ９０がアッパレール４に沿って前方に移動し、初期位置に復帰する。また、押圧部材９３（押圧部９３ｄ）から解放されたメモリリンク８０も初期回動位置に復帰する。
【００８７】
これに伴い、メモリリンク８０の押圧部８１ｂから解放されたロックレバー３０は、ロアレール３に対するアッパレール４の相対移動を規制する。同時に、メモリリンク８０の押圧突部８３から解放されたメモリピン６２がメモリベース６１から突出することで、ストッパ部材７０（アッパレール４）と係合するとともにロアレール３との係合を解除する。
【００８８】
以上により、シートバック８の前倒しに伴いアッパレール４が前方（シート前方）に移動した後にシート後方に移動した際に、シートバック８の前倒しの解消を経て移動前の状態が復帰される。
【００８９】
次に、本実施形態の作用について説明する。
本実施形態では、シートバックの前倒しに伴うロック解除及びメモリ作動に際しては、作動用スライダ９０が前後方向に移動することになり、ロック解除及びメモリ作動のために要するスペースがより縮小される。
【００９０】
以上詳述したように、本実施形態によれば、以下に示す効果が得られるようになる。
（１）本実施形態では、シートバックの前倒しに伴うロック解除及びメモリ作動のために要するスペースをより縮小することができる。
【００９１】
（２）本実施形態では、作動用スライダ９０の押圧部材９３がガイド孔１５Ａに前記相対移動の方向（前後方向）に移動可能に嵌挿されることで、作動用スライダ９０は、押圧部材９３によりメモリリンク８０を解除方向により円滑に押圧することができる。
【００９２】
（３）本実施形態では、ガイド部材９１がアッパレール４に摺接して押圧部材９３の移動を案内することで、ガイド孔１５Ａに沿う押圧部材９３の移動（作動用スライダ９０の移動）をより安定化することができる。
【００９３】
（４）本実施形態では、解除ケーブル９９は、前記相対移動の方向（前後方向）に作動用スライダ９０からシートバック８に向かって後方に延びることで、解除ケーブル９９をアッパレール４に近傍に集約して配索することができる。
【００９４】
（５）本実施形態では、作動用スライダ９０の初期位置への復帰に係るスライダ付勢部材９８の一方の端末が、メモリリンク８０の押圧に係る押圧部材９３に可動側係止プレート９６を介して係止されることで、メモリリンク８０から押圧部材９３をより確実に離脱させることができる。
【００９５】
（６）本実施形態では、ロックレバー３０、メモリピース６０、メモリリンク８０、ストッパ部材７０及びスライダ付勢部材９８は、ロアレール３及びアッパレール４の形成する空間Ｓ内に収まって配置されている。従って、基本的に作動用スライダ９０及びスプリング支持部材９５の一部のみがロアレール３及びアッパレール４の外部に配置されることになり、レール外部に要する配置スペースをより縮小することができる。
【００９６】
なお、メモリピース６０は、アッパレール４と係合等する状態にあればその下方に収まって外部に露出することはない。一方、メモリピース６０は、ロアレール３と係合等する状態にあれば、シート前方への移動に伴いアッパレール４がメモリピース６０を通過すると、その上方で外部に露出することになる。つまり、メモリピース６０が「ロアレール３及びアッパレール４の形成する空間Ｓ内に収まって配置される」ことは、厳密には「ロアレール３及びアッパレール４をそれらの相対移動方向に投影した空間内に収まって配置される」ことを意味している。
【００９７】
なお、上記実施形態は以下のように変更してもよい。
・前記実施形態において、スライダ付勢部材９８の一方の端末は、押圧部材９３以外の作動用スライダ９０の適宜箇所に係止されていてもよい。ただし、スライダ付勢部材９８は、アッパレール４内に配置されることがより好ましい。
【００９８】
・前記実施形態において、作動用スライダ９０からシートバック８に向かって延びる解除ケーブル９９は、前記相対移動の方向に沿っていなくてもよい。
・前記実施形態において、ガイド部材９１（ガイド部９１ａ）は、アッパレール４の外側面に摺接していなくてもよい。この場合、ガイド部材９１を省略してもよい。
【００９９】
・前記実施形態において、押圧部材９３が後方への移動に伴って解除方向にメモリリンク８０を押圧できるのであれば、ガイド孔１５Ａによる押圧部材９３の嵌挿構造を省略してもよい。
【０１００】
・前記実施形態において、ガイド部材９１、ワイヤ取付部材９２及び押圧部材９３のいずれか二つ以上を一体に形成してもよい。この場合、部品点数を削減することができる。
・前記実施形態において、メモリピース６０及びその周辺構造は一例である。例えば、係止プレート６３及び第２付勢部材６６を割愛してもよい。この場合、特許文献１のようにシートバック８の前倒し後にアッパレール４がシート前方に移動する際にメモリピン６２の上方に進入可能なメモリ保持ブラケットを設け、該メモリ保持ブラケットによりメモリピン６２を下方に押圧し続けてロアレール３との係合状態等を保持すればよい。
【０１０１】
・前記実施形態において、ロアレール３又はアッパレール４と係脱する際のメモリピン６２（メモリピース６０）の移動方向は、上下方向に限定されるものではなく、例えば幅方向に一致していてもよい。
【０１０２】
・前記実施形態において、メモリリンク８０は、アッパレール４に直に支持される取付ピン（７７）周りに回動自在に連結されていてもよい。
・前記実施形態において、ロアレール３は、複数枚の板材を溶接などで結合した構造であってもよい。
【０１０３】
・前記実施形態において、アッパレール４は、複数枚の板材を溶接などで結合した構造であってもよい。
・前記実施形態において、シートバック８の前倒しに伴うアッパレール４（シート５）の前方への移動は、適宜の付勢部材の付勢力を利用して行うものであってもよいし、乗員等により手動で行うものであってもよい。
【０１０４】
・前記実施形態において、ロアレール３及びアッパレール４（車両用シートスライド装置）は、シート５に対し各１本ずつ配設される構成であってもよいし、各３本以上ずつ配設される構成であってもよい。
【０１０５】
・前記各実施形態において、ロアレール及びアッパレールの相対移動の方向は、例えば車両の幅方向であってもよい。
次に、上記実施形態及び別例から把握できる技術的思想について以下に追記する。
【０１０６】
（イ）車両用シートスライド装置において、
前記スライダ付勢部材は、前記押圧部材に一方の端末が係止されたコイルスプリングである、車両用シートスライド装置。
【０１０７】
この構成によれば、前記スライダ部材の初期位置への復帰に係る前記スライダ付勢部材の一方の端末が、前記メモリリンクの押圧に係る前記押圧部材に係止されることで、前記メモリリンクから前記押圧部材をより確実に離脱させることができる。
【符号の説明】
【０１０８】
Ｓ…空間、３…ロアレール、４…アッパレール、５…シート、８…シートバック、１１…第１縦壁部、１２…底壁部、１２ａ…下側係止孔、１３…第１フランジ、１４…第２縦壁部、１５…蓋壁部、１５Ａ…ガイド孔、１６…第２フランジ、３０…ロックレバー（ロック部材）、６０…メモリピース、６１…メモリベース、６２…メモリピン、６２ｄ…被係止溝、６２ｅ…段差部、６３…係止プレート、６３ａ…透孔、６３ｃ…シート後側縁部、６４…外れ防止プレート、６５…第１付勢部材（メモリピース付勢部材）、６６…第２付勢部材、７０…ストッパ部材、７１ａ…上側係止孔、７４…被支持フランジ、７６…取付フランジ、７７…取付ピン、７９…固定ピン、８０…メモリリンク、８５…メモリリンク付勢部材、９０…作動用スライダ（スライド部材）、９１…ガイド部材、９２…ワイヤ取付部材、９３…押圧部材、９５…スプリング支持部材、９６…可動側係止プレート、９７…固定側係止プレート、９８…スライダ付勢部材、９９…解除ケーブル、９９ａ…端末。
【図１】
2015150952.tif 000003
【図２】
2015150952.tif 000004
【図３】
2015150952.tif 000005
【図４】
2015150952.tif 000006
【図５】
2015150952.tif 000007
【図６】
2015150952.tif 000008
【図７】
2015150952.tif 000009
【図８】
2015150952.tif 000010
【図９】
2015150952.tif 000011